(57)【特許請求の範囲】
【請求項１】
ケース本体に対して蓋部材が組み付けられて基板収容空間を有する箱体構造とされており、該基板収容空間に遊技機の制御基板を収容するようになっている遊技機用基板ケースにおいて、
前記ケース本体の外周縁部に本体側筒部が一体的に形成されていると共に、前記蓋部材の外周縁部には該ケース本体の該本体側筒部に対応する位置に蓋側筒部が一体的に形成されており、該蓋部材が該ケース本体に対して組み付けられた状態で、該本体側筒部と該蓋側筒部のそれぞれの内部空間が互いに繋がって該本体側筒部と該蓋側筒部に跨ってロックピンが軸方向に挿入され且つかかる挿入状態に固定的に保持されて、該ロックピンによって該本体側筒部と該蓋側筒部の相対変位が阻止されることにより該ケース本体に対する該蓋部材の開操作が阻止されるようになっている一方、該本体側筒部と該蓋側筒部の少なくとも一方を当該筒部が形成された該ケース本体又は該蓋部材から分離することによって、該ロックピンによる封止状態が解除されるようになっており、更に、該本体側筒部と該蓋側筒部の少なくとも一方において、挿入状態とされた該ロックピンの軸方向端よりも外側の位置で該ロックピンの中心軸線に交差する方向に延びる嵌入孔を有する抜止筒部が一体的に形成されていると共に、該抜止筒部の該嵌入孔に対して抜止ピンが挿入され、該抜止ピンが該ロックピンの軸方向端を覆う状態で、該抜止ピンの挿入方向先端が前記基板収容空間に向けられた挿入状態に固定的に保持されるようになっていることを特徴とする遊技機用基板ケース。
【請求項２】
前記抜止ピンの前記挿入状態にて、該抜止ピンの挿入方向先端が前記基板収容空間を画成する前記ケース本体と前記蓋部材の少なくとも一方に対して当接せしめられている請求項１に記載の遊技機用基板ケース。
【請求項３】
前記抜止筒部において前記基板収容空間側の端面が、前記基板収容空間を画成する前記ケース本体と前記蓋部材の少なくとも一方に対して当接せしめられている請求項１又は２に記載の遊技機用基板ケース。
【発明の詳細な説明】
【技術分野】
【０００１】
本発明は、ケース本体と蓋部材を組み合わせることによって構成されて、制御基板を収容する基板収容空間を内部に形成する遊技機用基板ケースに関するものである。
【背景技術】
【０００２】
従来から、パチンコ機やスロットマシン等の遊技機の作動を制御する制御基板は、遊技機用基板ケースに収容された状態で、遊技機の裏側等の適当な位置に取り付けられている。
【０００３】
そこにおいて、遊技機用基板ケースは、一般に、ケース本体に蓋部材を組み合わせて、ケース本体の開口を蓋部材で覆蓋した中空箱体構造とされている。また、かかる遊技機用基板ケースにおいては、内部に収容されている制御基板への不正行為を防止するために、従来から様々な対策が施されている。
【０００４】
具体的には、例えば、特許文献１に記載されているように、ケース本体とそれに組み付けられる蓋部材のそれぞれに円筒部材を設けて、これらの円筒部材に中実ピンを挿入して抜出操作出来ないようにすることにより、ケース本体と蓋部材の相対変位（基板ケースを開ける方向への変位）を阻止して、収容されている制御基板への不正行為を阻止するようにした基板ケースが知られている。
【０００５】
しかしながら、特許文献１に記載の遊技機用基板ケースにおいては、正規の手順以外の方法で、中実ピンによる封止状態を外部から看取し難い状態で解除されるおそれがあった。
【０００６】
【特許文献１】特開２００５−３４２１９３号公報
【発明の開示】
【発明が解決しようとする課題】
【０００７】
ここにおいて、本発明は、上述の如き事情を背景として為されたものであって、その解決課題とするところは、簡単な構造でロックピンによる封止状態をより一層解除し難くすることが出来ると共に、正当な作業でのロックピンによる封止状態の解除を速やかに行うことが出来る、新規な構造の遊技機用基板ケースを提供することにある。
【課題を解決するための手段】
【０００８】
以下、このような課題を解決するために為された本発明の態様を記載する。なお、以下に記載の各態様において採用される構成要素は、可能な限り任意の組み合わせで採用可能である。
【０００９】
本発明は、ケース本体に対して蓋部材が組み付けられて基板収容空間を有する箱体構造とされており、基板収容空間に遊技機の制御基板を収容するようになっている遊技機用基板ケースにおいて、ケース本体の外周縁部に本体側筒部が一体的に形成されていると共に、蓋部材の外周縁部にはケース本体の本体側筒部に対応する位置に蓋側筒部が一体的に形成されており、蓋部材がケース本体に対して組み付けられた状態で、本体側筒部と蓋側筒部のそれぞれの内部空間が互いに繋がって本体側筒部と蓋側筒部に跨ってロックピンが軸方向に挿入され且つかかる挿入状態に固定的に保持されて、ロックピンによって本体側筒部と蓋側筒部の相対変位が阻止されることによりケース本体に対する蓋部材の開操作が阻止されるようになっている一方、本体側筒部と蓋側筒部の少なくとも一方を当該筒部が形成されたケース本体又は蓋部材から分離することによって、ロックピンによる封止状態が解除されるようになっており、更に、本体側筒部と蓋側筒部の少なくとも一方において、挿入状態とされたロックピンの軸方向端よりも外側の位置でロックピンの中心軸線に交差する方向に延びる嵌入孔を有する抜止筒部が一体的に形成されていると共に、抜止筒部の嵌入孔に対して抜止ピンが挿入され、抜止ピンがロックピンの軸方向端を覆う状態で、抜止ピンの挿入方向先端が基板収容空間に向けられた挿入状態に固定的に保持されるようになっていることを、特徴とする。
【００１０】
このような本発明に従う構造とされた遊技機用基板ケースにおいては、本体側筒部と蓋側筒部の少なくとも一方に対して一体的に形成された抜止筒部が、本体側筒部と蓋側筒部に挿入されたロックピンの軸方向端よりも外側の位置でロックピンの中心軸線に交差する方向に嵌入孔を有しており、抜止筒部の嵌入孔に挿入された抜止ピンが、ロックピンの軸方向端の外方に位置してロックピンの軸方向端を覆う挿入状態に固定的に保持されるようになっていることから、ロックピンの軸方向の変位がロックピンの軸方向端を覆う抜止ピンによって阻止されることとなる。その結果、抜止ピンを取り除かない限り、ロックピンのみを抜き取ることが出来ないようになっている。
【００１１】
そこにおいて、本発明では、ロックピンの軸方向端の外方に位置してロックピンの軸方向端を覆う挿入状態に固定的に保持される抜止ピンの挿入方向先端が基板収容空間に向けられていることから、抜止ピンを挿入方向へ更に挿入したとしても、基板収容空間を画成する部材（ケース本体と蓋部材）が邪魔になって、抜止ピンを取り除くことは出来ず、また、抜止ピンの挿入方向先端を挿入方向とは反対の方向へ押そうとしても、基板収容空間を画成する部材（ケース本体と蓋部材）が邪魔になって、抜止ピンを挿入方向とは反対側へ押すことが難しくなっており、抜止ピンを取り除き難くなっている。
【００１２】
従って、本発明に係る遊技機用基板ケースにおいては、挿入方向の先端が基板収容空間に向けられた抜止ピンをロックピンの軸方向端の外方に位置せしめてロックピンの軸方向端を覆う状態で固定的に保持するという極めて簡単な構造で、ロックピンによる封止状態をより一層解除し難くすることが出来るのである。
【００１３】
また、本発明では、ロックピンを固定的に保持する筒部、即ち、本体側筒部と蓋側筒部の少なくとも一方をケース本体及び蓋部材から分離することにより、ロックピンによる封止状態を解除することができるようになっていると共に、抜止ピンが固定的に保持されている抜止筒部が本体側筒部と蓋側筒部の少なくとも一方に対して一体的に形成されていることから、ロックピンによる封止状態を解除する作業を行えば、抜止筒部、延いては抜止ピンを取り除くことが可能となる。その結果、抜止ピンがロックピンの軸方向端の外方に位置してロックピンの軸方向端を覆う状態で固定的に保持されていても、正当な方法でのロックピンによる封止状態の解除作業に支障をきたさないようにすることが可能となる。
【００１４】
従って、本発明に係る遊技機用基板ケースにおいては、正当な作業でのロックピンによる封止状態の解除を速やかに行うことが可能となる。
【００１５】
なお、本発明において、「本体側筒部と蓋側筒部のそれぞれの内部空間が互いに繋がって」とは、ロックピンが本体側筒部と蓋側筒部に跨って挿入され得る状態であることをいう。その際、本体側筒部と蓋側筒部は重なっていても良いし、適当な隙間をあけて離隔位置せしめられていても良い。
【００１６】
また、本発明において、「抜止ピンの挿入方向先端が基板収容空間に向けられた挿入状態」は、抜止ピンの挿入方向先端が基板収容空間を画成するケース本体と蓋部材の少なくとも一方に対して当接せしめられることによって実現されていても良いし、或いは、抜止筒部における基板収容空間側の端面が基板収容空間を画成するケース本体と蓋部材の少なくとも一方に対して当接せしめられることによって実現されていても良い。そこにおいて、抜止筒部における基板収容空間の端面が基板収容空間を画成するケース本体と蓋部材の少なくとも一方に対して当接せしめられる場合には、抜止筒部に挿入されている抜止ピンの挿入方向先端は、基板収容空間を画成するケース本体と蓋部材の少なくとも一方に対して当接せしめられている必要はない。また、基板収容空間を画成する部材（ケース本体と蓋部材）に形成された挿入孔に対して、抜止筒部や抜止筒部に挿入されている抜止ピンが挿入されており、抜止ピンの抜止筒部への挿入状態で、抜止ピンの挿入方向先端が基板収容空間内に位置するようになっていても良い。
【発明を実施するための最良の形態】
【００１７】
以下、本発明を更に具体的に明らかにするために、本発明の実施形態について、図面を参照しつつ、詳細に説明する。
【００１８】
先ず、図１には、本発明の一実施形態としての遊技機用基板ケース１０が示されている。この遊技機用基板ケース１０は、ケース本体１２に対して蓋部材１４が組み付けられて基板収容空間１６を有する箱体構造とされており、かかる基板収容空間１６に制御基板１８を収容した状態で、遊技機の裏側の適当な位置に取り付けられるようになっている。なお、遊技機は、パチンコ機やスロットマシン等である。
【００１９】
より詳細には、ケース本体１２は、ポリカーボネート（ＰＣ）等の透明な硬質の合成樹脂材料によって形成されており、図２及び図３に示されているように、全体として、底板２０の外周縁部に沿って全周に亘って延びる周壁２２が立設されて、上側に開口する開口部２４が形成された構造とされている。
【００２０】
そこにおいて、本実施形態では、ケース本体１２の長手方向（図２における左右方向）で対向位置せしめられた一対の長手方向対向壁部２６，２６のそれぞれに対して、上方に開口して長手方向対向壁部２６の長手方向（ケース本体１２の幅方向、即ち、図２における上下方向）に延びるガイド溝２８が形成されている。
【００２１】
また、本実施形態では、ケース本体１２の幅方向一方（図２における下方）の側壁部３０には、複数（本実施形態では、八つ）の本体側筒部３６が一体形成されている。特に、本実施形態では、これら八つの本体側筒部３６は、ケース本体１２の長手方向中央を挟んで、長手方向一方の側と他方の側に、四つずつまとめて設けられている。
【００２２】
そこにおいて、本実施形態では、各本体側筒部３６は有底円筒形状とされており、その周壁部分が、側壁部３０に対して、取付片３８によって取り付けられている。これにより、各本体側筒部３６がケース本体１２の外周縁部としての周壁２２に対して一体形成されているのである。
【００２３】
また、本実施形態では、各本体側筒部３６の開口方向（中心軸線が延びる方向）は、ケース本体１２の開口部２４の開口方向（底板２０に対して略直交する方向）に対して略平行とされている。
【００２４】
さらに、本実施形態では，図６にも示されているように、各本体側筒部３６の上方において、Ｕ字断面で本体側筒部３６の開口方向（軸方向）に延びる下段収容部４０が一体形成されている。そして、下段収容部４０の底壁に形成された連通孔によって、下段収容部４０と本体側筒部３６が連通せしめられている。
【００２５】
更にまた、本実施形態では、図６にも示されているように、各下段収容部４０の上方において、コ字状断面で本体側筒部３６の開口方向（軸方向）に延びる上段収容部４２が一体形成されている。そして、上段収容部４２の底壁に形成された切欠によって、上段収容部４２と下段収容部４０が連通せしめられている。なお、本実施形態では、隣り合う二つの上段収容部４２は、隣り合う方向に位置する側壁部（ケース本体１２の幅方向に延びる側壁部）を共有している。
【００２６】
また、本実施形態では、各本体側筒部３６の軸方向下方において、抜止筒部４４が設けられている。そこにおいて、本実施形態の抜止筒部４４は、それぞれ、矩形断面で横方向に開口する枠体乃至は筒体形状とされた外側収容部４６の底壁（仕切壁）に対して略一定の断面でストレートに延びる嵌入孔としての中心孔４９が形成された円筒形状を呈する内側収容部４８が同一中心軸線上でケース本体１２側に突設された構造とされており、これら外側収容部４６と内側収容部４８は、外側収容部４６の底壁（仕切壁）に形成された連通孔を通じて、相互に連通せしめられている。
【００２７】
このような構造とされた抜止筒部４４は、開口方向（中心軸線が延びる方向）が本体側筒部３６の開口方向（中心軸線が延びる方向）に略直交する状態で、且つ、内側収容部４８の突出端面（外側収容部４６に連結されているほうとは反対側の端面）が側壁部３０の外側の壁面に重ね合わせられた状態で、外側収容部４６が取付片５０によって本体側筒部３６に取り付けられている。これにより、各本体側筒部３６の軸方向下方に抜止筒部４４が設けられている。換言すれば、抜止筒部４４が、取付片５０と本体側筒部３６を介して、ケース本体１２の幅方向一方（図２における下方）の側壁部３０に一体的に設けられているのである。
【００２８】
そこにおいて、取付片５０による本体側筒部３６と抜止筒部４４の連結は、例えば、ケース本体１２に対して別体形成された抜止筒部４４を、ケース本体１２に対して上述の如き位置に配設し、その状態で、取付片５０と本体側筒部３６を超音波溶着等によって連結すると共に、取付片５０と抜止筒部４４の外側収容部４６を超音波溶着等によって連結することによって、有利に実現される。なお、本体側筒部３６と抜止筒部４４を連結する取付片５０は、本体側筒部３６や抜止筒部４４に対して別体形成されている必要はなく、例えば、本体側筒部３６と一体的に形成されていても良いし、或いは、抜止筒部４４と一体的に形成されていても良い。そして、取付片５０が本体側筒部３６に一体形成されている場合には、取付片５０による本体側筒部３６と抜止筒部４４の連結は、取付片５０と抜止筒部４４の外側収容部４６を超音波溶着等で連結するだけで良く、また、取付片５０が抜止筒部４４に一体形成されている場合には、取付片５０による本体側筒部３６と抜止筒部４４の連結は、取付片５０と本体側筒部３６を超音波溶着等で連結するだけで良く、それによって、溶着作業に要する時間が短くなる。
【００２９】
なお、本実施形態では、本体側筒部３６の底壁５２と抜止筒部４４の内側収容部４８との間には、僅かな隙間が形成されているが、抜止筒部４４の内側収容部４８が本体側筒部３６の底壁５２に対して接触していても良い。また、抜止筒部４４の内側収容部４８と本体側筒部３６の底壁５２を取付片によって連結するようにしても良い。更にまた、抜止筒部４４の内側収容部４８と側壁部３０の間に僅かな隙間が形成されていても良い。また、抜止筒部４４の内側収容部４８が側壁部３０に形成された孔に差し込まれていても良い。更にまた、抜止筒部４４の内側収容部４８は、横向きの有底円筒形状であっても良い。
【００３０】
このような構造とされたケース本体１２に組み付けられる蓋部材１４は、ケース本体１２と同様に、ポリカーボネート（ＰＣ）等の透明な硬質の合成樹脂材料によって形成されており、図４及び図５に示されているように、全体として、天板５４の外周縁部に沿って延びる周壁５６が立設されて、下側に開口する開口部が形成された構造とされている。なお、本実施形態の天板５４は、その幅方向（図４中の上下方向）中間部分において傾斜部分が設けられており、それによって、幅方向の両端において天板５４から開口端までの距離が異ならされている。
【００３１】
また、蓋部材１４の幅方向一方の側壁部には、複数（本実施形態では、八つ）の蓋側筒部５８が一体形成されている。特に、本実施形態では、これら八つの蓋側筒部５８は、蓋部材１４の長手方向中央を挟んで、長手方向一方の側と他方の側に、四つずつまとめて設けられている。
【００３２】
そこにおいて、本実施形態では、各蓋側筒部５８は、矩形断面で開口する枠体乃至は筒体形状とされた上側収容部６０の底壁に対して略一定の断面でストレートに延びる円筒形状とされた下側収容部６２が同一中心軸線上で軸方向下方に突設された構造とされており、これら上側収容部６０と下側収容部６２は、上側収容部６０の底壁に形成された連通孔を通じて、相互に連通せしめられている。
【００３３】
このような構造とされた蓋側筒部５８は、上側収容部６０が一対の取付片６４，６４によって蓋部材１４における幅方向一方の側壁部に取り付けられている。これにより、各蓋側筒部５８が蓋部材１４の外周縁部としての周壁５６に対して一体形成されているのである。
【００３４】
特に、本実施形態では、上述の如く蓋側筒部５８の上側収容部６０が一対の取付片６４，６４によって蓋部材１４における幅方向一方の側壁部に取りつけられた状態で、蓋側筒部５８の開口方向（中心軸線が延びる方向）、即ち、上側収容部６０と下側収容部６２の開口方向（中心軸線が延びる方向）が、蓋部材１４の開口方向（天板５４に略直交する方向）に対して略平行とされている。
【００３５】
続いて、上述の如き構造とされた蓋部材１４を、ケース本体１２に対して組み付ける方法について、説明する。先ず、蓋部材１４の長手方向（図４における左右方向）で対向位置せしめられる一対の長手方向対向壁部６６，６６を、ケース本体１２の長手方向両端に形成された一対のガイド溝２８，２８に嵌め入れる。その際、ケース本体１２における各ガイド溝２８内に設けられた係止片６８，６８は、蓋部材１４における各長手方向対向壁部６６に形成された係止用切欠７０，７０内に収容位置せしめられるようになっている。なお、本実施形態の係止片６８，６８は、それぞれ、各ガイド溝２８の側壁部分に対して一体的に設けられている。
【００３６】
そこにおいて、本実施形態では、上述の如く、蓋部材１４における一対の長手方向対向壁部６６，６６がケース本体１２における一対のガイド溝２８，２８に嵌め入れられた状態で、ケース本体１２の底板２０と蓋部材１４における天板５４は、天板５４における傾斜部分を除いて略平行とされている。
【００３７】
また、図面上では明示されていないが、本実施形態では、上述の如く、ケース本体１２に設けられたガイド溝２８，２８に対して蓋部材１４における長手方向対向壁部６６，６６を嵌め入れる前において、制御基板１８は、そこに実装されているコネクタ７２が蓋部材１４に形成された窓７４から外部に突出した状態で、蓋部材１４に対してネジ止めされるようになっている。なお、制御基板１８は、所定の検査機関による検査の対象となる制御基板（具体的には、例えば、遊技機の作動を全体的に制御する主制御基板や、かかる主制御基板からの制御信号に基づいて賞媒体の払い出しを制御する払出制御基板）等である。
【００３８】
このような状態から係止片６８，６８が係止用切欠７０，７０に係止される方向（ケース本体１２の開口部２４を蓋部材１４で覆蓋する方向、即ち、蓋を閉める方向））へと蓋部材１４をケース本体１２に対してスライド変位（本実施形態では、底板２０に対して天板５４を平行移動させるようなスライド変位）せしめることにより、係止片６８，６８が係止用切欠７０，７０に係止されるようになっている。これにより、ケース本体１２に対して蓋部材１４が組み付けられた状態となって、図１に示されているように、ケース本体１２の開口部２４が蓋部材１４で覆蓋されることとなる。その結果、蓋部材１４にネジ止めされた制御基板１８が開口部２４を通じてケース本体１２に入れられることとなる。
【００３９】
なお、本実施形態では、上述の如く、ケース本体１２の開口部２４が蓋部材１４で覆蓋された状態で、図１に示されているように、ケース本体１２の幅方向他方の側壁部に形成された突起７５が、蓋部材１４における幅方向他方の側壁部に形成された挿通孔７６に嵌め入れられるようになっている。
【００４０】
また、上述の如く、蓋部材１４をケース本体１２に対してスライド変位せしめることにより、図６に示されているように、蓋側筒部５８における下側収容部６２が本体側筒部３６の上方に設けられた下段収容部４０内に位置せしめられると共に、蓋側筒部５８における上側収容部６０が下段収容部４０の上方に形成された上段収容部４２内に位置せしめられるようになっている。これにより、蓋側筒部５８と本体側筒部３６が、ケース本体１２に対して蓋部材１４が組み付けられた状態で、同一中心軸線上に位置せしめられるようになっている。即ち、蓋部材１４において本体側筒部３６に対応する位置に蓋側筒部５８が設けられているのである。そして、上述の如く、蓋側筒部５８と本体側筒部３６が同一中心軸線上に位置せしめられることにより、蓋側筒部５８の内部空間７８と本体側筒部３６の内部空間８０が後述する封止スプリングピン８２の挿入を許容する位置にあることとなる。このことから明らかなように、本実施形態では、ケース本体１２に対して蓋部材１４が組み付けられた状態で、蓋側筒部５８と本体側筒部３６が同一中心軸線上に位置せしめられることにより、蓋側筒部５８の内部空間７８と本体側筒部３６の内部空間８０が繋がった状態とされているのである。なお、本実施形態では、上述の如く、蓋側筒部５８と本体側筒部３６が同一中心軸線上に位置せしめられた状態で、蓋側筒部５８における下側収容部６２の下端面と本体側筒部３６に一体形成された下段収容部４０の上面との間には、隙間が形成されている。
【００４１】
また、本実施形態では、底板２０に対して天板５４が平行移動するようにして、蓋部材１４がケース本体１２に対してスライド変位せしめられることにより、蓋部材１４がケース本体１２に対して脱着されるようになっていることから、蓋部材１４がケース本体１２に対して組み付けられた状態で、蓋側筒部５８と本体側筒部３６の並ぶ方向（これら蓋側筒部５８と本体側筒部３６に共通の中心軸線が延びる方向）が、蓋部材１４のケース本体１２に対するスライド方向に略直交しているのである。
【００４２】
そして、上述の如く、同一中心軸上に位置せしめられた本体側筒部３６と蓋側筒部５８に対して、ロックピンとしての封止スプリングピン８２が嵌め入れられるようになっている。そこにおいて、本実施形態の封止スプリングピン８２は、鉄鋼やばね鋼，ばね用ステンレス鋼等で形成されており、図７に示されているように、周方向の一部において軸方向に蛇行しながら延びる切り込み８４が形成された筒形状とされている。なお、このような封止スプリングピン８２は、例えば、長手方向両端が鋸歯状に形成された板材を適当な機械や工具を用いて丸めること等によって、有利に形成される。また、本実施形態の封止スプリングピン８２は、その軸方向両端の外側角部に対して、全周に亘って角取りが施されており、それによって、軸方向両端の何れの側からであっても、封止スプリングピン８２の本体側筒部３６と蓋側筒部５８への挿し込みが有利に行われるようになっている。
【００４３】
また、本実施形態では、このような封止スプリングピン８２に対して固定ピンとしての組付ピン８６が取り付けられている。この組付ピン８６は、ＡＢＳ等の合成樹脂材によって形成されており、図８に示されているように、全体として矩形平板形状とされた板状片８８の中央部分から厚さ方向一方の側に突出する挿入軸９０が一体形成された構造とされている。換言すれば、挿入軸９０の軸方向端部に板状片８８が一体形成された構造とされているのである。なお、本実施形態では、板状片８８の長手方向両端の下側角部に対して板状片８８の幅方向全長に亘って角取りが施されている。これにより、後述する板状片８８の上側収容部６０内における上側開口から底壁への移動を有利に行うことが可能となる。
【００４４】
このような構造とされた組付ピン８６は、図９に示されているように、封止スプリングピン８２の軸方向一方の端から挿入軸９０が挿し込まれて固定されることにより、封止スプリングピン８２に対して組み付けられている。そこにおいて、図面上では明示されていないが、本実施形態では、このようにして、封止スプリングピン８２に組付ピン８６が組み付けられた状態で、封止スプリングピン８２の軸方向上方（組付ピン８６が組み付けられた側）から見ると、組付ピン８６における板状片８８によって、封止スプリングピン８２が覆い隠されるようになっている。
【００４５】
そして、上述の如く、組付ピン８６が組み付けられた封止スプリングピン８２は、図１０に示されているように、組付ピン８６が取り付けられていない軸方向他方の端部側から蓋側筒部５８に挿入されるようになっている。
【００４６】
これにより、封止スプリングピン８２における下側収容部６２に嵌め入れられている部分に対して、封止スプリングピン８２を締める力が作用することとなる。その結果、封止スプリングピン８２が元の形状に戻ろうとする力（復元力）が下側収容部６２に作用することとなる。
【００４７】
そして、上述の如き封止スプリングピン８２による復元力が下側収容部６２に作用することによって、封止スプリングピン８２の外周面が下側収容部６２の内周面に押し当てられることとなる。その結果、封止スプリングピン８２の外周面と下側収容部６２の内周面との間に封止スプリングピン８２の変位を阻止する方向に摩擦力が発生することとなる。
【００４８】
そして、上述の如く、封止スプリングピン８２が下側収容部６２に挿入された状態から封止スプリングピン８２を摩擦力に抗して更に挿入することにより、図１１に示されているように、封止スプリングピン８２が蓋側筒部５８と本体側筒部３６とに跨って挿入された状態となる。
【００４９】
そこにおいて、本実施形態では、上述の如く、封止スプリングピン８２が蓋側筒部５８と本体側筒部３６とに跨って挿入された状態で、封止スプリングピン８２における下側収容部６２に嵌め入れられている部分だけに対して、封止スプリングピン８２を締める力が作用するようになっている。即ち、本実施形態では、封止スプリングピン８２の軸方向変位を阻止する摩擦力が、封止スプリングピン８２における下側収容部６２に嵌め入れられている部分のみに及ぼされるようになっているのであり、その結果、本実施形態では、封止スプリングピン８２は蓋側筒部５８（下側収容部６２）のみに対して嵌められているのである。
【００５０】
また、本実施形態では、上述の如く、封止スプリングピン８２が蓋側筒部５８と本体側筒部３６とに跨って挿入されていると共に、封止スプリングピン８２が蓋側筒部５８に嵌められて固定された状態で、封止スプリングピン８２の軸方向一方の端部は蓋側筒部５８内に位置せしめられていると共に、封止スプリングピン８２の軸方向他方の端部は本体側筒部３６内に位置せしめられている。
【００５１】
なお、図面上では明示されていないが、本実施形態では、四つで一つのグループとされた本体側筒部３６と蓋側筒部５８の組み合わせのうち、何れか一つの組み合わせにおいて、図１１に示されているように、封止スプリングピン８２が本体側筒部３６と蓋側筒部５８とに跨って挿入されている。
【００５２】
更にまた、本実施形態では、図１０に示されている状態から更に封止スプリングピン８２を嵌め入れる際において、封止スプリングピン８２に固定された組付ピン８６における板状片８８の長手方向両端が、上側収容部６０における長手方向（図１０における左右方向）で対向位置せしめられる一対の対向壁部９２，９２に対して摺動せしめられるようになっている。
【００５３】
そこにおいて、本実施形態では、一対の対向壁部９２，９２の対向面間距離が、上側収容部６０の上側開口から底壁へと行くに従って次第に短くなるようにされている。これにより、封止スプリングピン８２に固定された組付ピン８６における板状片８８の長手方向両端は、上側収容部６０の底壁側に行くに従って次第に上側収容部６０の上側開口側への反りが大きくなるようになっている。
【００５４】
そして、板状片８８が上側収容部６０の底壁に到達すると、板状片８８の長手方向両端部のそれぞれが、上側収容部６０の上側開口側に反った状態から元の状態に戻ると共に、各対向壁部９２の底壁付近に形成された開口穴９４に入り込むようになっている。その結果、板状片８８の長手方向両端部のそれぞれが、各対向壁部９２に形成された開口穴９４の内周面（特に、封止スプリングピン８２の嵌め入れ方向とは反対側に位置する上側開口側の面）に係止されることにより、組付ピン８６の上側収容部６０の上側開口側への変位、延いては、封止スプリングピン８２の軸方向上方への変位（抜け方向への変位）が阻止されることとなる。
【００５５】
なお、本実施形態では、図１０に示された状態、即ち、封止スプリングピン８２が蓋側筒部５８に嵌め入れられて、板状片８８の上面が蓋側筒部５８の上端面と同じ高さに位置せしめられた状態で、板状片８８における幅方向両端と上側収容部６０との間に隙間が形成されている。
【００５６】
特に、本実施形態では、図面上では必ずしも明らかではないが、板状片８８の上面が蓋側筒部５８（上側収容部６０）の上端面と同じ高さに位置せしめられた状態から板状片８８の長手方向両端のそれぞれが開口穴９４，９４に入り込むまでの間において、板状片８８における幅方向両端と上側収容部６０との間には、それぞれ、隙間が形成されるようになっている。これにより、封止スプリングピン８２が蓋側筒部５８と本体側筒部３６とに跨って挿入された状態に至るまでの間において、板状片８８の長手方向両端のみが上側収容部６０の上側開口側に反るようになっている。その結果、封止スプリングピン８２が蓋側筒部５８に嵌め入れられた状態から封止スプリングピン８２が蓋側筒部５８と本体側筒部３６とに跨って挿入された状態に至るまでの抵抗を小さくすることが可能となる。
【００５７】
また、抜止筒部４４の中心孔４９には、抜止ピンとしての抜止スプリングピン９８が嵌め入れられている。そこにおいて、本実施形態の抜止スプリングピン９８は、封止スプリングピン８２と同様な材料で形成されて、同じ形状を呈していることから、その詳細な説明を省略する。
【００５８】
また、本実施形態の抜止スプリングピン９８には、嵌着ピンとしての組付ピン１００が取り付けられている。そこにおいて、本実施形態の組付ピン１００は、封止スプリングピン８２に組み付けられる組付ピン８６と同様な材料で形成されて、同じ形状を呈している。即ち、本実施形態の組付ピン１００は、挿入軸１０２の軸方向端部に板状片１０４が一体形成された形状を呈しているのである。
【００５９】
このような組付ピン１００は、抜止スプリングピン９８の軸方向一方の端から挿入軸１０２が差し込まれて固定されることにより、抜止スプリングピン９８に対して組み付けられている。そこにおいて、図面上では明示されていないが、本実施形態では、抜止スプリングピン９８に組付ピン１００が組み付けられた状態で、抜止スプリングピン９８の軸方向上方（組付ピン１００が組み付けられた側）から見ると、組付ピン１００における板状片１０４によって、抜止スプリングピン９８が覆い隠されるようになっている。
【００６０】
そして、上述の如く組付ピン１００が組み付けられた抜止スプリングピン９８は、図１２及び図１３に示されているように、組付ピン１００が組み付けられていない軸方向他方の端部側から抜止筒部４４に挿入されて、封止スプリングピン８２の軸方向外方に位置して封止スプリングピン８２の軸方向端を覆う状態で配設されるようになっている。これにより、抜止スプリングピン９８における内側収容部４８に嵌め入れられている部分に対して、抜止スプリングピン９８を締める力が作用することとなる。その結果、抜止スプリングピン９８が元の形状に戻ろうとする力（復元力）が内側収容部４８に作用することとなる。
【００６１】
また、このようにして、抜止スプリングピン９８による復元力が内側収容部４８に作用することにより、抜止スプリングピン９８の外周面が内側収容部４８の内周面に押し当てられることとなる。その結果、抜止スプリングピン９８の外周面と内側収容部４８の内周面との間に抜止スプリングピン９８の変位を阻止する方向に摩擦力が作用することとなり、抜止スプリングピン９８の挿入状態が維持されるようになっている。
【００６２】
更にまた、上述の如く抜止スプリングピン９８が抜止筒部４４に挿入された状態では、抜止スプリングピン９８の先端が側壁部３０に面しており、特に本実施形態では、抜止スプリングピン９８の先端が側壁部３０に当接している。換言すれば、抜止筒部４４に挿入された抜止スプリングピン９８は、その先端が基板収容空間１６に向けられているのである。
【００６３】
また、本実施形態では、抜止スプリングピン９８の先端が側壁部３０に当接するまで抜止スプリングピン９８を抜止筒部４４に挿入する際に、抜止スプリングピン９８に固定された組付ピン１００における板状片１０４の長手方向両端が、外側収容部４６における長手方向で対向位置せしめられる一対の対向壁部１０６，１０６に対して摺動せしめられる。
【００６４】
そこにおいて、本実施形態では、一対の対向壁部１０４，１０４の対向面間距離が、外側収容部４６の外側開口から底壁へと行くに従って次第に短くなるようにされている。これにより、抜止スプリングピン９８に固定された組付ピン１００における板状片１０４の長手方向両端は、外側収容部４６の底壁側へ行くに従って次第に外側収容部４６の外側開口側への反りが大きくなる。
【００６５】
そして、板状片１０４が外側収容部４６の底壁に到達すると、板状片１０４の長手方向両端部のそれぞれが、外側収容部４６の外側開口側に反った状態から元の状態に戻ると共に、各対向壁部１０６の底壁付近に形成された開口穴１０８に入り込むようになっている。その結果、板状片１０４の長手方向両端部のそれぞれが、各対向壁部１０６に形成された開口穴１０８の内周面（特に、抜止スプリングピン９８の嵌め入れ方向とは反対側に位置する外側開口側の面）に係止されることにより、組付ピン１００の外側収容部４６の外側開口側への変位、延いては、抜止スプリングピン９８の抜け方向への変位が阻止されることとなる。
【００６６】
なお、本実施形態では、抜止スプリングピン９８が抜止筒部４４に嵌め入れられて、板状片１０４の一方の面が抜止筒部４４の開口端面と同じ位置にある状態で、板状片１０４における幅方向両端と外側収容部４６との間に隙間が形成されている。特に本実施形態では、図面上では必ずしも明らかではないが、板状片１０４の一方の面が抜止筒部４４の開口端面と同じ位置にある状態から板状片１０４の長手方向両端のそれぞれが開口穴１０８に入り込むまでの間において、板状片１０４における幅方向両端と外側収容部４６の間には、それぞれ、隙間が形成されている。これにより、抜止スプリングピン９８の先端が側壁部３０に当接するまでの間において、板状片１０４の長手方向両端のみが外側収容部４６の外側開口側に反るようになっている。その結果、抜止スプリングピン９８の先端が側壁部３０に当接するまで挿入される際の抵抗を小さくすることが可能となる。
【００６７】
このような構造とされた遊技機用基板ケース１０においては、ケース本体１２に対して蓋部材１４が組み付けられた状態で、ケース本体１２に対する蓋部材１４のスライド変位方向に交差する方向に延びる中心軸線上に位置せしめられた蓋側筒部５８と本体側筒部３６とに跨って挿入される封止スプリングピン８２が、蓋側筒部５８における下側収容部６２に嵌められて固定されていることから、ケース本体１２に対する蓋部材１４の開蓋方向へのスライド変位が封止スプリングピン８２によって阻止されることとなり、その結果、遊技機用基板ケース１０の封止状態が実現されるようになっている。
【００６８】
そこにおいて、本実施形態では、ケース本体１２に対する蓋部材１４の開蓋方向へのスライド変位を阻止する封止スプリングピン８２が挿入されている本体側筒部３６の下方に設けられた抜止筒部４４に抜止スプリングピン９８が嵌め入れられていることにより、抜止スプリングピン９８が本体側筒部３６の底壁５２の下側に位置せしめられていることから、抜止スプリングピン９８、延いては、抜止筒部４４を遊技機用基板ケース１０から分離しない限り、封止スプリングピン８２の軸方向変位を阻止することが可能となる。これにより、封止スプリングピン８２を抜き取る不正行為を試みた場合には、その痕跡が残ることになる。その結果、不正行為が試みられたことを発見しやすくなる。
【００６９】
すなわち、本実施形態の遊技機用基板ケース１０においては、抜止スプリングピン９８を封止スプリングピン８２の軸方向下方に固定的に保持するという極めて簡単な構成で、正当ではない方法での封止スプリングピン８２による封止状態の解除をより一層困難にすることが可能となるのである。また、このような構成を採用することにより、構造の大幅な複雑化や部品点数の大幅な増加、更には、製造の困難さを回避することが可能となる。
【００７０】
特に本実施形態では、抜止スプリングピン９８の先端がケース本体１２の側壁部３０に当接せしめられていることにより、抜止スプリングピン９８の挿入方向先端側から抜止スプリングピン９８を抜き出す作業を困難にすることが可能となる。その結果、抜止スプリングピン９８の挿入状態の安定化、延いては、封止スプリングピン８２による遊技機用基板ケース１０の封止状態の更なる安定化を図ることが可能となる。
【００７１】
加えて、本実施形態では、抜止スプリングピン９８が抜止筒部４４の内側収容部４８に圧入固定された状態で、抜止スプリングピン９８に固定された組付ピン１００における板状片１０４の長手方向両端が、抜止筒部４４の外側収容部４６における一対の対向壁部１０６，１０６の底壁側に形成された開口穴１０８，１０８に嵌め込まれるようになっていることから、板状片１０４の長手方向の各端部が開口穴１０８の内周面に対して係止されるようにすることが可能となる。これにより、抜止スプリングピン９８の軸方向変位を阻止することが可能となる。その結果、抜止スプリングピン９８の挿入状態の更なる安定化、延いては、封止スプリングピン８２による遊技機用基板ケース１０の封止状態のより一層の安定化を図ることが可能となる。
【００７２】
一方、封止スプリングピン８２による遊技機用基板ケース１０の封止状態を解除する場合には、封止スプリングピン８２が蓋側筒部５８の下側収容部６２に圧入固定されていることから、蓋側筒部５８と蓋部材１４を連結する一対の取付片６４，６４をニッパー等で切断して蓋側筒部５８を蓋部材１４から分離するだけで良い。即ち、正当な方法での封止スプリングピン８２による封止状態の解除作業に際して、抜止スプリングピン９８を取り除く必要はない。その結果、正当な作業での封止スプリングピン８２による封止状態の解除作業を速やかに行うことが可能となる。
【００７３】
また、抜止スプリングピン９８の抜止筒部４４への圧入作業は、封止スプリングピン８２による封止作業の前に行っても良いし、後で行っても良いことから、封止スプリングピン８２による封止作業の煩雑さを回避することが可能となる。
【００７４】
更にまた、本実施形態では、封止スプリングピン８２において蓋側筒部５８の下側収容部６２に嵌められている部分に及ぼされる、封止スプリングピン８２を締める力の反力が、下側収容部６２に及ぼされることにより、封止スプリングピン８２の外周面と下側収容部６２の内周面との間に発生する摩擦力を有利に確保することが可能となる。その結果、蓋側筒部５８における下側収容部６２に成形時の寸法誤差があったり、遊技機用基板ケース１０の周辺温度の変化があった場合でも、封止スプリングピン８２の軸方向への変位が有利に阻止されることとなり、封止スプリングピン８２が蓋側筒部５８における下側収容部６２に嵌められた状態の安定化を図ることが可能となる。
【００７５】
加えて、本実施形態では、封止スプリングピン８２が下側収容部６２と本体側筒部３６とに跨って挿入された状態で、封止スプリングピン８２に固定された組付ピン８６における板状片８８の長手方向両端が、上側収容部６０における一対の対向壁部９２，９２の底壁側に形成された開口穴９４，９４に嵌め込まれるようになっていることから、板状片８８の長手方向の各端部が開口穴９４の内周面に対して係止されるようにすることが可能となる。これにより、例えば、本体側筒部３６の底壁に穴を開ける等して、封止スプリングピン８２を挿入方向とは反対の方向に押し戻そうとしても、板状片８８の長手方向の各端部が開口穴９４の内周面に対して係止されることにより、封止スプリングピン８２の挿入方向とは反対側の方向への変位を阻止することが可能となる。その結果、遊技機用基板ケース１０の安定した封止状態を一層有利に実現することが出来る。
【００７６】
以上、本発明の一実施形態について詳述してきたが、これはあくまでも例示であって、本発明は、かかる実施形態における具体的な記載によって、何等、限定的に解釈されるものではない。
【００７７】
例えば、前記実施形態において、抜止スプリングピン９８を抜止筒部４４の内側収容部４８に圧入固定する代わりに、組付ピン１００の挿入軸１０２を抜止筒部４４の内側収容部４８に挿入するだけであっても良い。この場合であっても、前記実施形態と同様に、組付ピン１００を抜止筒部４４から抜き出すことが困難になっていることから、組付ピン１００の挿入状態の安定化、延いては、封止スプリングピン８２による遊技機用基板ケース１０の封止状態の更なる安定化を図ることが可能となる。
【００７８】
また、前記実施形態において、図１４に示されているように、抜止筒部４４が、取付片１０９を介して、蓋側筒部５８に一体的に設けられるようにしても良い。この場合、抜止ピン１１０としては、挿入軸１１２の軸方向中間部分に板状の係止片１１４が軸直角方向外方に突出するように一体形成された構造が好適に採用される。これにより、抜止ピン１１０が抜止筒部４４に挿入された状態で、抜止ピン１１０において係止片１１４を挟んで抜止筒部４４の内側収容部４８に挿通されている部分とは反対側に位置する部分が蓋側筒部５８の上方に位置することとなる。その結果、抜止ピン１１０を取り除かない限り、封止スプリングピン８２を抜き取ることが出来ないようになる。また、このような構成においては、蓋側筒部５８を蓋部材１４から分離すれば、封止スプリングピン８２と一緒に抜止ピン１１０を取り除くことが出来るので、抜止ピン１１０が封止スプリングピン８２による封止状態の解除作業の邪魔になることはない。即ち、抜止ピン１１０を予め取り除かなくても、封止スプリングピン８２による封止状態の解除作業をすることが出来る。なお、理解を容易にするために、前記実施形態と同様な部材及び部位については、前記実施形態と同一の符号を付してある。
【００７９】
また、前記実施形態において、本体側筒部３６の内周面に係止突起を設けておき、この係止突起を乗り越えさせてロックピンの頭部を押し入れるようにしても良いし、或いは、本体側筒部３６の内周面に周方向に延びる係止凹溝を形成しておき、ロックピンの頭部の外周面をこの係止凹溝に対して嵌め入れるようにしても良い。これらの方法を採用すれば、ロックピンを本体側筒部３６と蓋側筒部５８に挿入した状態で固定的に保持することが可能となる。
【００８０】
さらに、前記実施形態において、抜止筒部４４の内周面に係止突起を設けておき、この係止突起を乗り越えさせて抜止ピンの頭部を押し入れるようにしても良いし、或いは、抜止筒部４４の内周面に周方向に延びる係止凹溝を形成しておき、抜止ピンの頭部の外周面をこの係止凹溝に対して嵌め入れるようにしても良い。これらの方法を採用すれば、抜止ピンを抜止筒部４４に挿入した状態で固定的に保持することが可能となる。
【００８１】
その他、一々列挙はしないが、本発明は、当業者の知識に基づいて種々なる変更，修正，改良等を加えた態様において実施され得るものであり、また、そのような実施態様が本発明の趣旨を逸脱しない限り、何れも、本発明の範囲内に含まれるものであることは、言うまでもない。
【図面の簡単な説明】
【００８２】
【図１】本発明の一実施形態としての遊技機用基板ケースの平面図。
【図２】同遊技機用基板ケースを構成するケース本体の平面図。
【図３】図２におけるＩＩＩ−ＩＩＩ方向の断面図。
【図４】図１の遊技機用基板ケースを構成する蓋部材の平面図。
【図５】図４におけるＶ−Ｖ方向の断面図。
【図６】図１におけるＶＩ−ＶＩ方向に相当する断面図であって、本体側筒部と蓋側筒部の位置関係を説明するための要部拡大断面図。
【図７】図１の遊技機用基板ケースに採用されている封止スプリングピンの正面図。
【図８】図７に示された封止スプリングピンに固定される組付ピンの正面図。
【図９】図７の封止スプリングピンに組付ピンが固定された状態を示す正面図。
【図１０】図９の封止スプリングピンが下側収容部に挿し込まれた状態を示す断面図。
【図１１】図９の封止スプリングピンが下側収容部と本体側筒部に挿し込まれた状態を示す断面図。
【図１２】抜止スプリングピンが抜止筒部に差し込まれた状態を示す断面図。
【図１３】図１２におけるＸＩＩＩ−ＸＩＩＩ断面図。
【図１４】本発明において採用可能な抜止筒部の他の配設位置を説明するための断面図。
【符号の説明】
【００８３】
１０：遊技機用基板ケース，１２：ケース本体，１４：蓋部材，１６：基板収容空間，１８：制御基板，３６：本体側筒部，４４：抜止筒部，５８：蓋側筒部，８２：封止スプリングピン，９８：抜止スプリングピン
【図１】
0005046032.tif 000002
【図２】
0005046032.tif 000003
【図３】
0005046032.tif 000004
【図４】
0005046032.tif 000005
【図５】
0005046032.tif 000006
【図６】
0005046032.tif 000007
【図７】
0005046032.tif 000008
【図８】
0005046032.tif 000009
【図９】
0005046032.tif 000010
【図１０】
0005046032.tif 000011
【図１１】
0005046032.tif 000012
【図１２】
0005046032.tif 000013
【図１３】
0005046032.tif 000014
【図１４】
0005046032.tif 000015